(57)【特許請求の範囲】
【請求項１】
複数の光源を有する照射器において、
第１の配光角を有する第１の光源ユニットが複数配列された第１の光源郡と、第２の配光角を有する第２の光源ユニットが複数配列された第２の光源郡と、第３の配光角を有する第３の光源ユニットが複数配列された第３の光源郡と、を備え、
各光源郡は、放射面の中心から外周に向かって配光角が狭くなるように配列され、各光源郡の光源ユニットの明るさを、照射距離に応じて予め設定した所定の明るさに制御可能とし、前記光源ユニットは、縦横複数列に矩形状に配置され、内側に配列された一の光源郡の４隅には、他の光源郡の前記光源ユニットが配置されている
ことを特徴とする照射器。
【請求項２】
各光源ユニットの配光角を拡散フィルムで調整したことを特徴とする請求項１に記載の照射器。
【発明の詳細な説明】
【技術分野】
【０００１】
本発明は、複数の光源を配列してなる照射器に関する。
【背景技術】
【０００２】
複数の点光源からの光で、被照射面を照射する照射器が知られている（例えば、特許文献１参照）。このような、複数の点光源を有する照射器では、被照射面における照度の均斉度を向上するために、各光源からの光の指向角を調整している。
【先行技術文献】
【特許文献】
【０００３】
【特許文献１】特開２０１５−１６７５１２号公報
【発明の概要】
【発明が解決しようとする課題】
【０００４】
しかしながら、各光源からの光の指向角を調整して、被照射面における照度の均斉度を向上させた場合には、光源から被照射面までの距離に応じて被照射面における照度が変化してしまうという問題があった。
そこで、本発明は、上述した事情に鑑みてなされたものであり、照射距離に対して一定の照度を確保しつつ、照射面における照度の均斉度がとれた照射器を提供することを目的とする。
【課題を解決するための手段】
【０００５】
本発明は、複数の光源を有する照射器において、第１の配光角を有する第１の光源ユニットが複数配列された第１の光源郡と、第２の配光角を有する第２の光源ユニットが複数配列された第２の光源郡と、第３の配光角を有する第３の光源ユニットが複数配列された第３の光源郡と、を備え、各光源郡は、放射面の中心から外周に向かって配光角が狭くなるように配列され、各光源郡の光源ユニットの明るさを、照射距離に応じて予め設定した所定の明るさに制御可能とし、前記光源ユニットは、縦横複数列に矩形状に配置され、内側に配列された一の光源郡の４隅には、他の光源郡の前記光源ユニットが配置されていることを特徴とする。
【０００６】
また本発明は、各光源ユニットの配光角を拡散フィルムで調整したことを特徴とする。
【発明の効果】
【０００８】
本発明によれば、放射面の中心から外周に向かって配光角が狭くなるように光源ユニットを配列し、光源ユニットの明るさを、照射距離に応じて予め設定した所定の明るさに制御することができるため、照射距離に対して一定の照度を確保しつつ、被照射面における照度の均斉度がとれた照射器を提供することができる。
【図面の簡単な説明】
【０００９】
【図１】本発明の実施形態に係る照射器の平面構成を模式的に示す図である。
【図２】光源ユニットの構成を示す斜視図である。
【図３】光源ユニットの構成を示す断面図である。
【図４】光源ユニットの分解斜視図である。
【図５】照射距離と各光源郡の明るさの比率との関係を示す図である。
【図６】照射距離３００ｍｍでの照度分布を示す図であり、（Ａ）は本実施形態の照射器のＸ軸の照度を示すグラフ、（Ｂ）は本実施形態の照射器のＹ軸の照度を示すグラフ、（Ｃ）は比較のＸ軸の照度を示すグラフ、（Ｄ）は比較のＹ軸の照度を示すグラフである。
【図７】照射距離５００ｍｍでの照度分布を示す図であり、（Ａ）は本実施形態の照射器のＸ軸の照度を示すグラフ、（Ｂ）は本実施形態の照射器のＹ軸の照度を示すグラフ、（Ｃ）は比較のＸ軸の照度を示すグラフ、（Ｄ）は比較のＹ軸の照度を示すグラフである。
【図８】照射距離７５０ｍｍでの照度分布を示す図であり、（Ａ）は本実施形態の照射器のＸ軸の照度を示すグラフ、（Ｂ）は本実施形態の照射器のＹ軸の照度を示すグラフ、（Ｃ）は比較のＸ軸の照度を示すグラフ、（Ｄ）は比較のＹ軸の照度を示すグラフである。
【図９】照射距離１０００ｍｍでの照度分布を示す図であり、（Ａ）は本実施形態の照射器のＸ軸の照度を示すグラフ、（Ｂ）は本実施形態の照射器のＹ軸の照度を示すグラフ、（Ｃ）は比較のＸ軸の照度を示すグラフ、（Ｄ）は比較のＹ軸の照度を示すグラフである。
【図１０】照射距離１５００ｍｍでの照度分布を示す図であり、（Ａ）は本実施形態の照射器のＸ軸の照度を示すグラフ、（Ｂ）は本実施形態の照射器のＹ軸の照度を示すグラフ、（Ｃ）は比較のＸ軸の照度を示すグラフ、（Ｄ）は比較のＹ軸の照度を示すグラフである。
【発明を実施するための形態】
【００１０】
以下、図面を参照して本発明の実施形態について説明する。
【００１１】
図１は本発明の実施形態に係る照射器１の平面構成を模式的に示す図である。
照射器１は、ＬＥＤを光源とし、光を被照射面に照射する器具である。照射器１は、例えば、画像処理装置用の照明として用いることができる照射器であり、本実施形態では、詳細については後述するが、制御ユニット１００の制御に基づいて、色温度略４０００Ｋの白色光を、画像処理対象の被照射面に照射するように構成されている。なお、照射器１は白色光の他に、紫外線領域や赤外線領域の光を放射する構成であっても良い。
照射器１は、例えば、縦横５００ｍｍの矩形状の被照射面を照射することができるように構成されていてもよい。また、照射器１は、照射距離が３００ｍｍ〜１５００ｍｍの範囲にある被照射面で、所定値以上（本実施形態では１２０００ｌｕｘ以上）の照度が均斉度良く得られるように構成されている。
【００１２】
図１に示すように、照射器１は、縦８列、横８列に２次元配列された合計６４個の光源ユニット１０が筐体５内に備えられ、略矩形平面状の放射面を構成している。
光源ユニット１０は、直径略８０ｍｍの円形の照射開口を有するユニットであり、この光源ユニット１０を縦８列、横８列に並べることで、縦横５００ｍｍの被照射面よりも大きな矩形平面状の放射面を構成している。
筐体５には、各光源ユニット１０に電力を供給するための電源が接続される端子１０５が設けられている。
【００１３】
照射器１に備えられている６４個の光源ユニット１０は、それぞれ異なる配光角を有する３種類の光源ユニット１０Ａ，１０Ｂ，１０Ｃに分別される。本実施形態においては、第１の光源ユニット１０Ａは配光角が２０°（第１の配光角）、第２の光源ユニット１０Ｂは配光角が１０°（第２の配光角）、第３の光源ユニット１０Ｃは配光角が５°（第３の配光角）に設定されている。光源ユニット１０Ａ，１０Ｂ，１０Ｃは、照射器１の放射面の中心Ｃから外周に向かって、配光角が広い光源ユニット１０Ａの周りに、配光角が狭い光源ユニット１０Ｂ，１０Ｃが順次配置されるように並べられている。
【００１４】
照射器１の中心Ｃの周りには、第１の光源ユニット１０Ａが１２個並べられて、第１の光源郡２０Ａが構成されている。１２個の第１の光源ユニット１０Ａは、縦４列、横４列に並べた場合に、４隅に配置される第１の光源ユニット１０Ａを除いた配列となっている。第２の光源ユニット１０Ｂは、第１の光源郡２０Ａを囲むように配列されている。また、第２の光源ユニット１０Ｂは、第１の光源郡２０Ａの４隅に配置されるように並べられている。このように、第２の光源ユニット１０Ｂは、第１の光源郡２０Ａの周りに２０個配列されて、第２の光源郡２０Ｂを構成している。さらに、第３の光源ユニット１０Ｃが、第２の光源郡２０Ｂを囲み、且つ、第２の光源郡２０Ｂの４隅に配置されるように並べられている。このように、第３の光源ユニット１０Ｃは、第２の光源郡２０の周りに３２個配列されて、第３の光源郡２０Ｃを構成している。
【００１５】
このように、本実施形態の照射器１では、光源ユニット１０Ａ，１０Ｂ，１０Ｃが縦横複数列に矩形状に配置されるとともに、内側に配列された一の光源郡の４隅には、他の光源郡の光源ユニットが配置されている。一の光源郡の４隅に他の光源郡の光源ユニットを配置することなく、矩形状に配列された一の光源ユニットの周りを、他の光源ユニットで囲んだ場合には、被照射面では、円形状の照射野が形成されてしまう。これに対して、一の光源郡の４隅に他の光源郡の光源ユニットを配置した場合には、被照射面では、矩形形状の照射野を形成することができる。
【００１６】
図２〜図４は、光源ユニット１０の構成を示す図である。図２〜図４に示すように、光源ユニット１０は、発光素子の一例たるＬＥＤ素子を多数パッケージ化した高出力のＬＥＤ１１を光源として備える。また、光源ユニット１０は、ＬＥＤ１１の発光面に対向配置される反射鏡１２を備えている。
光源ユニット１０は、ＬＥＤ１１と、ＬＥＤ基板１３とを支持するフレーム板１５を備える。光源ユニット１０の正面には、光源ユニット１０の配光角を調整する拡散フィルム１４が設けられている。拡散フィルム１４は、フレーム板１５とともに、反射鏡１２に共締めされている。
【００１７】
フレーム板１５は、円環部１５Ａと、この円環部１５Ａの中心に配置される略円板状の取付部１５Ｂと、円環部１５Ａから取付部１５Ｂに向けて延びる三本のアーム１５Ｃとを備えている。フレーム板１５は、円環部１５Ａ、取付部１５Ｂ、アーム１５Ｃが銅などの高熱伝導性を有する板材を例えば型抜き成形して、一体に形成されている。
フレーム板１５の裏面には、図３に示すように、取付部１５Ｂに、ＬＥＤ基板１３と、ＬＥＤ１１とが固定される。ＬＥＤ基板１３は、取付部１５Ｂの裏面に螺子５でねじ止めされている。ＬＥＤ１１は、ＬＥＤ基板１３に半田を用いて接着されている。また、図示は省略するが、外部からの電力をＬＥＤ１１に供給する配線が、アーム１５Ｃの背面側から通されている。
【００１８】
反射鏡１２は、反射面１２Ａが、ＬＥＤ１１の放射光を全反射する反射特性を有している。また、反射鏡１２は、ＬＥＤ１１の配置位置を焦点とする放物面（回転放物面）または非球面の凹状に形成されている。ＬＥＤ１１から放射された光は、反射鏡１２の中心軸Ｎに対して略平行な光として反射され、フレーム板１５のアーム１５Ｃ間の開口１７から前方に向けて放射される。
反射鏡１２は、アルミニウム合金等の高熱伝導性を有する金属材から、例えば削り出しによって形成されている。反射鏡１２の、反射面１２Ａには、鏡面仕上げが施されて鏡面化されている。なお、反射鏡１２は、樹脂等を用いて形成して、反射面１２Ａに反射材料を塗布して構成されていても良い。
【００１９】
拡散フィルム１４は、フレーム板１５のアーム１５Ｃ間の開口１７から前方に向けて放射されるＬＥＤ１１からの光を、狙った角度に均質に透過させる光学性能を有する。本実施形態では、配光角が５°、１０°、２０°の３種類の拡散フィルム１４を用いて。光源ユニット１０の配光角を調整している。そして、光源ユニット１０のうちに、配光角が２０°の拡散フィルム１４を備えたものを光源ユニット１０Ａ、配光角が１０°の拡散フィルム１４を備えたものを光源ユニット１０Ｂ、配光角が５°の拡散フィルム１４を備えたものを光源ユニット１０Ｃとしている。
【００２０】
このように、照射器１は、光源ユニット１０Ａ，１０Ｂ，１０Ｃのなかでは、一番配光角が広い、配光角が２０°の光源ユニット１０Ａを照射器１の中心周辺に配列している。そして、光源ユニット１０Ａを配列してなる第１の光源郡２０Ａの周りを囲むように、次に配光角が広い、配光角が１０°の光源ユニット１０Ｂを配列している。さらに、光源ユニット１０Ｂを配列してなる第２の光源郡２０Ｂの周りを囲むように、一番配光角が狭い、配光角が５°の光源ユニット１０Ｃを配列して、第３の光源郡２０Ｃを構成している。
【００２１】
反射鏡１２の外周部には、スペーサ１８が挿入される挿入孔１９が設けられている。スペーサ１８は、反射鏡１２の高さ方向に亘る長さに形成される。スペーサ１８には、前面側から、ＬＥＤ１１の焦点距離を調整するためのワッシャー３１やブッシュ３２を介して、拡散フィルム１４と、フレーム板１５とを共締めするねじ６が羅入される。また、スペーサ１８には、裏面側から、光源ユニット１０を所望の位置に固定するための固定脚３３がワッシャー３４を介して羅入される。
【００２２】
ところで、照射器１は、照射距離を３００ｍｍ〜１５００ｍｍの範囲で変えた際にも、縦横それぞれ５００ｍｍの矩形の被照射面を１２０００ｌｕｘ以上の照度で均斉度良く照射することができるように構成されている。詳述すると、照射器１は、第１の光源郡２０Ａ、第２の光源郡２０Ｂ、第３の光源郡２０Ｃのそれぞれの明るさが照射距離に応じて制御可能に構成されている。
【００２３】
照射器１には、図１に示すように、制御ユニット１００が通信線１０１を介して接続されている。制御ユニット１００は、図示は省略するがＣＰＵ、ＲＯＭ、ＲＡＭ等を備え、照射器１の照射距離に応じて、各光源郡２０Ａ，２０Ｂ，２０Ｃの明るさを制御する。制御ユニット１００は、タッチパネル１０２を備え、タッチパネル１０２へのタッチ操作でユーザーが照射距離を設定することができるように構成されている。制御ユニット１００は、ユーザーによって入力された照射距離に応じて、各光源郡２０Ａ，２０Ｂ，２０Ｃの光源ユニット１０に印可する電流値を制御することで、各光源郡２０Ａ，２０Ｂ，２０Ｃ明るさを適宜に調整する。
【００２４】
図５は、照射器１における、照射距離と、各光源郡２０Ａ，２０Ｂ，２０Ｃの明るさ率との関係を示す表である。各光源郡２０Ａ，２０Ｂ，２０Ｃの明るさは、各光源ユニット１０Ａ，１０Ｂ，１０Ｃに供給する電流値を変えることで制御され、明るさ率１００％では、ＬＥＤ１１の光出力が最大となるように電流が印可される。このように、照射器１では、各光源ユニット１０のＬＥＤ１１に印可する電流値を制御することで、ＬＥＤ１１の出力を変化させて、明るさ率が適宜調整される。また、各光源郡２０Ａ，２０Ｂ，２０Ｃの光源ユニット１０Ａ，１０Ｂ，１０Ｃは、同じ明るさ率となるように設定されている。そのため、例えば、第１の光源郡２０Ａの明るさ率を１００％とする際には、第１の光源ユニット１０Ａの全てのＬＥＤ１１の光出力が最大となるように電流が調整される。
【００２５】
照射距離が３００ｍｍの場合には、第１の光源郡２０Ａの明るさ率が４６％、第２の光源郡２０Ｂの明るさ率が３１％、第３の光源郡２０Ｃの明るさ率が２３％になるように、各光源ユニット１０Ａ，１０Ｂ，１０ＣのＬＥＤ１１に印可される電流値が制御される。また、この時、第２の光源郡２０Ｂの明るさは、第１の光源郡２０Ａの明るさの６７％となり、第３の光源郡２０Ｃの明るさは、第１の光源郡２０Ａの明るさの５０％となるように制御される。
【００２６】
図６（Ａ）、図６（Ｂ）はそれぞれ、本実施形態の照射器１で、照射距離が３００ｍｍの被照射面を照明した際のＸ軸方向の照度の均斉度と、Ｙ軸方向の照度の均斉度とを示すグラフである。一方、図６（Ｃ）、図６（Ｄ）は、それぞれ、配光角が２０°の光源ユニット１０Ａを縦横８列に並べて、照射距離が３００ｍｍの被照射面を照明した際のＸ軸方向の照度の均斉度と、Ｙ軸方向の照度の均斉度とを示すグラフである。図６（Ａ）、図６（Ｂ）に示すように、照射器１では、Ｘ軸方向、Ｙ軸方向でともに５００ｍｍの範囲を１２０００ｌｕｘの照度で均斉度良く照明できていることが分かる。これに対して、図６（Ｃ）、図６（Ｄ）に示すように、同じ配光角の光源ユニット１０Ａを６４個配列した場合には、被照射面内での照度ムラが大きくなってしまうことが分かる。
【００２７】
また、図５に示すように、照射距離が５００ｍｍの場合には、第１の光源郡２０Ａの明るさ率が６２％、第２の光源郡２０Ｂの明るさ率が３３％、第３の光源郡２０Ｃの明るさ率が１９％になるように、各光源ユニット１０Ａ，１０Ｂ，１０ＣのＬＥＤ１１に印可される電流値が制御される。また、この時、第２の光源郡２０Ｂの明るさは、第１の光源郡２０Ａの明るさの５３％となり、第３の光源郡２０Ｃの明るさは、第１の光源郡２０Ａの明るさの３１％となるように制御される。
【００２８】
図７（Ａ）、図７（Ｂ）はそれぞれ、本実施形態の照射器１で、照射距離が５００ｍｍの被照射面を照明した際のＸ軸方向の照度の均斉度と、Ｙ軸方向の照度の均斉度とを示すグラフである。一方、図７（Ｃ）、図７（Ｄ）は、それぞれ、配光角が２０°の光源ユニット１０Ａを縦横８列に並べて、照射距離が５００ｍｍの被照射面を照明した際のＸ軸方向の照度の均斉度と、Ｙ軸方向の照度の均斉度とを示すグラフである。図７（Ａ）、図７（Ｂ）に示すように、照射器１では、Ｘ軸方向、Ｙ軸方向でともに５００ｍｍの範囲を１２０００ｌｕｘの照度で均斉度良く照明できていることが分かる。これに対して、図７（Ｃ）、図７（Ｄ）に示すように、同じ配光角の光源ユニット１０Ａを６４個配列した場合には、被照射面内での照度ムラが大きくなってしまうことが分かる。
【００２９】
また、図５に示すように、照射距離が７５０ｍｍの場合には、第１の光源郡２０Ａの明るさ率が８６％、第２の光源郡２０Ｂの明るさ率が３８％、第３の光源郡２０Ｃの明るさ率が２０％になるように、各光源ユニット１０Ａ，１０Ｂ，１０ＣのＬＥＤ１１に印可される電流値が制御される。また、この時、第２の光源郡２０Ｂの明るさは、第１の光源郡２０Ａの明るさの４４％となり、第３の光源郡２０Ｃの明るさは、第１の光源郡２０Ａの明るさの２３％となるように制御される。
【００３０】
図８（Ａ）、図８（Ｂ）はそれぞれ、本実施形態の照射器１で、照射距離が７５０ｍｍの被照射面を照明した際のＸ軸方向の照度の均斉度と、Ｙ軸方向の照度の均斉度とを示すグラフである。一方、図８（Ｃ）、図８（Ｄ）は、それぞれ、配光角が２０°の光源ユニット１０Ａを縦横８列に並べて、照射距離が７５０ｍｍの被照射面を照明した際のＸ軸方向の照度の均斉度と、Ｙ軸方向の照度の均斉度とを示すグラフである。図８（Ａ）、図８（Ｂ）に示すように、照射器１では、Ｘ軸方向、Ｙ軸方向でともに７５０ｍｍの範囲を１２０００ｌｕｘの照度で均斉度良く照明できていることが分かる。これに対して、図８（Ｃ）、図８（Ｄ）に示すように、同じ配光角の光源ユニット１０Ａを６４個配列した場合には、被照射面内での照度ムラが大きくなってしまうことが分かる。
【００３１】
また、図５に示すように、照射距離が１０００ｍｍの場合には、第１の光源郡２０Ａの明るさ率が９０％、第２の光源郡２０Ｂの明るさ率が５４％、第３の光源郡２０Ｃの明るさ率が２３％になるように、各光源ユニット１０Ａ，１０Ｂ，１０ＣのＬＥＤ１１に印可される電流値が制御される。また、この時、第２の光源郡２０Ｂの明るさは、第１の光源郡２０Ａの明るさの６０％となり、第３の光源郡２０Ｃの明るさは、第１の光源郡２０Ａの明るさの２６％となるように制御される。
【００３２】
図９（Ａ）、図９（Ｂ）はそれぞれ、本実施形態の照射器１で、照射距離が１０００ｍｍの被照射面を照明した際のＸ軸方向の照度の均斉度と、Ｙ軸方向の照度の均斉度とを示すグラフである。一方、図９（Ｃ）、図９（Ｄ）は、それぞれ、配光角が２０°の光源ユニット１０Ａを縦横８列に並べて、照射距離が１０００ｍｍの被照射面を照明した際のＸ軸方向の照度の均斉度と、Ｙ軸方向の照度の均斉度とを示すグラフである。図９（Ａ）、図９（Ｂ）に示すように、照射器１では、Ｘ軸方向、Ｙ軸方向でともに１０００ｍｍの範囲を１２０００ｌｕｘの照度で均斉度良く照明できていることが分かる。これに対して、図９（Ｃ）、図９（Ｄ）に示すように、同じ配光角の光源ユニット１０Ａを６４個配列した場合には、被照射面内での照度ムラが大きくなってしまうことが分かる。
【００３３】
また、図５に示すように、照射距離が１５００ｍｍの場合には、第１の光源郡２０Ａの明るさ率が１００％、第２の光源郡２０Ｂの明るさ率が８３％、第３の光源郡２０Ｃの明るさ率が３１％になるように、各光源ユニット１０Ａ，１０Ｂ，１０ＣのＬＥＤ１１に印可される電流値が制御される。また、この時、第２の光源郡２０Ｂの明るさは、第１の光源郡２０Ａの明るさの８３％となり、第３の光源郡２０Ｃの明るさは、第１の光源郡２０Ａの明るさの３１％となるように制御される。
【００３４】
図１０（Ａ）、図１０（Ｂ）はそれぞれ、本実施形態の照射器１で、照射距離が１５００ｍｍの被照射面を照明した際のＸ軸方向の照度の均斉度と、Ｙ軸方向の照度の均斉度とを示すグラフである。一方、図１０（Ｃ）、図１０（Ｄ）は、それぞれ、配光角が２０°の光源ユニット１０Ａを縦横８列に並べて、照射距離が１５００ｍｍの被照射面を照明した際のＸ軸方向の照度の均斉度と、Ｙ軸方向の照度の均斉度とを示すグラフである。図１０（Ａ）、図１０（Ｂ）に示すように、照射器１では、Ｘ軸方向、Ｙ軸方向でともに１５００ｍｍの範囲を１２０００ｌｕｘの照度で均斉度良く照明できていることが分かる。これに対して、図１０（Ｃ）、図１０（Ｄ）に示すように、同じ配光角の光源ユニット１０Ａを６４個配列した場合には、被照射面内での照度ムラが大きくなってしまうことが分かる。
【００３５】
以上説明したように、本実施形態によれば、複数のＬＥＤ１１を有する照射器１において、第１の配光角２０°を有する第１の光源ユニット１０Ａが複数配列された第１の光源郡２０Ａと、第２の配光角１０°を有する第２の光源ユニット１０Ｂが複数配列された第２の光源郡２０Ｂと、第３の配光角５°を有する第３の光源ユニット１０Ｃが複数配列された第３の光源郡２０Ｃと、を備え、各光源郡２０Ａ，２０Ｂ，２０Ｃは、放射面の中心から外周に向かって配光角が狭くなるように配列され、各光源郡２０Ａ，２０Ｂ，２０Ｃの光源ユニット１０Ａ，１０Ｂ，１０Ｃの明るさを、照射距離に応じて予め設定した所定の明るさに制御可能とした。
この構成によれば、照射距離３００ｍｍ〜１５００ｍｍの間で変わっても、被照射面における照度を一定、本実施形態では１２０００ｌｕｘ、に保ち、且つ、被照射面内を均斉度良く照明することができる。
【００３６】
また、本実施形態によれば、各光源ユニット１０Ａ，１０Ｂ，１０Ｃの配光角を拡散フィルム１４で調整したため、同一の光源ユニット１０に配光角が異なる拡散フィルムを装着するという簡単な構成で光源ユニット１０Ａ，１０Ｂ，１０Ｃの配光角を調整することができる。
【００３７】
また、本実施形態によれば、光源ユニット１０は、縦横複数列、本実施形態では８列、に矩形状に配置され、内側に配列された第１の光源郡２０Ａの４隅には、第２の光源郡２０Ｂの光源ユニット１０Ｂが配置され、第２の光源郡２０Ｂの４隅には、第３の光源郡２０Ｃの光源ユニット１０Ｃが配置されている。
この構成によれば、矩形の被照射面を形成することができると共に、矩形の被照射面を均斉度良く照明することができる。
【００３８】
なお、上述した実施形態は、あくまでも本発明の一態様の例示であり、本発明の要旨の範囲において任意に変形、及び応用が可能である。
【００３９】
例えば、上述した実施形態の照射器１においては、１２個の第１の光源ユニット１０Ａの周りに、２０個の第２の光源ユニット１０Ｂ、２０個の第２の光源ユニットの周りに３２個の第３の光源ユニット１０Ｃを配列する構成とした。しかしながら、これに限らず、被照射面の形状や寸法に応じて、適宜の数の光源ユニット１０を配列する構成とすることができる。また、光源ユニット１０Ａ，１０Ｂ，１０Ｃの配光角はそれぞれ２０°，１０°，５°である構成としたが、これに限らず、被照射面の寸法や、照射距離に応じて、適宜の配光角とする拡散フィルム１４を用いる構成とすることができる。さらには、被照射面における照度も、各光源郡２０Ａ，２０Ｂ，２０Ｃの明るさの比率を変えることで、変更可能な構成でも良く、適宜に調整することができる。
【符号の説明】
【００４０】
１  照射器
１０  光源ユニット
１０Ａ  第１の光源ユニット
１０Ｂ  第２の光源ユニット
１０Ｃ  第３の光源ユニット
１１  ＬＥＤ
１２  反射鏡
１４  拡散フィルム
２０Ａ  第１の光源郡
２０Ｂ  第２の光源郡
２０Ｃ  第３の光源郡
【図１】
0006693188.tif 000002
【図２】
0006693188.tif 000003
【図３】
0006693188.tif 000004
【図４】
0006693188.tif 000005
【図５】
0006693188.tif 000006
【図６】
0006693188.tif 000007
【図７】
0006693188.tif 000008
【図８】
0006693188.tif 000009
【図９】
0006693188.tif 000010
【図１０】
0006693188.tif 000011